(57)【要約】  容器本体（１）は、上部と、キャリア部材（２）とを有しており、上記上部は、容器開口（４）を定めており、上記キャリア部材（２）は、容器本体の外面の上記上部と一体形成されている。キャリア部材（２）は、使用前の状態から、使用状態まで、伸ばすことができるものであり、キャリア部材（２）は、フランジの周囲に、そして、弱められているライン又はカットラインによって、定められている。該ラインは、２つの放射状に間隔を開けて設けられている、サークル（６）の同心円弧を、定めているものである。使用状態において、キャリア部材（２）は、容器を、例えば、ベルトに通して運べるようにするものである。
2008503402.tif 000002
【特許請求の範囲】
【請求項１】
容器本体であって、上部と、キャリア部材と、を有しており、
上記上部が、容器開口を定めており、
上記キャリア部材が、容器本体の外面の上記上部と一体形成されており、該キャリア部材が、弱められているライン又はカットラインによって、少なくとも部分的に定められているものであり、これによって、キャリア部材は、使用前の状態から、使用状態にまで、伸ばすことができるようになっているものである、
容器本体。
【請求項２】
使用前の状態において、キャリア部材が、容器本体の外面から外向きに伸びている、フランジ又はフラップを、形成している、
請求項１に記載の容器本体。
【請求項３】
プラスティック材料でできている、
請求項１又は２に記載の容器本体。
【請求項４】
キャリア部材が、ループ形状部を含んでいる、
請求項１乃至請求項３の何れかに記載の容器本体。
【請求項５】
キャリア部材が、２又は３以上の内部接続ループ形状リンクを含んでいる、鎖状の部材である、
請求項１乃至請求項４の何れかに記載の容器本体。
【請求項６】
使用前の状態において、キャリア部材が、環状のフランジを形成しており、ループ形状部が、フランジの周囲に、そして、弱められているライン又はカットラインによって、定められており、該ラインが、上記周囲に実質同心のサークルの円弧を定めているものである、
請求項４に記載の容器本体。
【請求項７】
キャリア部材が、フランジの周囲に、そして、弱められているライン又はカットラインによって、定められており、該ラインが、２又は３以上の放射状に間隔を開けて設けられている、サークルの同心円弧を定めているものである、
請求項４乃至請求項６の何れかに記載の容器本体。
【請求項８】
キャリア部材が、フラップを形成しており、該フラップが、弱められているライン又はカットラインを利用することによって、Ｕ字状ループ部と、接続部とに分離されるものであり、Ｕ字状ループ部は、一対の枝状部と、横向きの底部とを含んでおり、接続部は、横向きの底部を容器本体に接続するように、Ｕ字状ループ部の枝状部の間に設けられている、
請求項１乃至請求項５の何れかに記載の容器本体。
【請求項９】
容器本体が、例えば、ビール又はソーダを、含んでいる、ボトル又は缶である、
請求項１乃至請求項８の何れかに記載の容器。
【請求項１０】
キャリア部材が、缶の上部の周りに伸びているエッジの少なくとも一部分に取り付けられており、且つ、上記エッジに関して上部の内側に設けられている、
請求項９に記載の容器。
【請求項１１】
キャリア部材が、上部への固定された取り付けを用いて、上部に一体形成されている、
請求項１乃至請求項１０の何れかに記載の容器。
【請求項１２】
キャリア部材が、成形を用いて、上部に一体形成されている、
請求項１乃至請求項１０の何れかに記載の容器。
【請求項１３】
弱められているライン又はカットラインが、成形工程によって形成されたものである、
請求項１乃至請求項１０の何れかに記載の容器を成形する方法。
【請求項１４】
弱められているライン又はカットラインが、独自の作業によって形成されたものである、
請求項１乃至請求項１２の何れかに記載の容器を成形する方法。
【請求項１５】
キャリア部材が、容器本体を成形した後に、容器本体に固定取り付けされたものである、
請求項１乃至請求項１１の何れかに記載の容器を形成する方法。
【請求項１６】
キャリア部材が、接着剤を用いて、本体に固定取り付けされている、
請求項１５に記載の方法。
【請求項１７】
キャリア部材が、ねじを用いて、本体に固定取り付けされている、
請求項１５、又は、請求項１６に記載の方法。
【発明の詳細な説明】
【技術分野】
【０００１】
本発明は、缶やボトル等の、容器本体に関するものである。容器本体は、例えば、食べ物や飲み物を包んでいるような容器を持ち運びしやすくするために、キャリア部材又は取手を、備えているものである。
【０００２】
（背景技術と発明が解決しようとする課題）
ボトルや他の容器を、持ち運ぶための種々のキャリア部材が知られている。例えば、WO2004-035413には、１又は複数の、ボトルのキャップ又は王冠コルクに、取り外し可能に係合するようになっている分離キャリア部材が、開示されている。つまり、ボトルは、製造者又は消費者の、独自の作業によって、キャリア部材に接続される必要がある。
【発明の開示】
【０００３】
（課題を解決するための手段）
本発明の目的は、一体形成されたキャリアを有している容器を提供することを目的とする。それ故、本発明は、容器開口を定めている上部と、容器本体の外面の上記上部と一体形成されているキャリア部材と、を有している容器本体を、提供するものである。上記キャリア部材は、弱められているライン又はカットラインによって、少なくとも部分的に定められているものであり、これによって、キャリア部材は、使用前の状態から、使用状態にまで、伸ばすことができるようになっているものである。
【０００４】
このことは、容器本体が、場所を取らない、コンパクトな、又は、可倒された使用前の状態で用意されている、一体キャリア部材を備えた状態で製造されているということを、意味している。該キャリア部材が使用されるとき、キャリア部材は、コンパクトな、使用前の状態から、引き伸ばされた使用状態にまで、伸ばすことができる。伸ばされたキャリア部材は、消費者によって、取手として、又は、例えば、消費者の、ベルトのような、衣類に容器本体を取り付けるためのものとして、使用される。
【０００５】
キャリア部材は、例えば、糸状のものである。使用前の状態において、キャリア部材は、ボトル又は缶等の、容器本体の上部周り又は上部の上端に、取り付けられており、その自由端に、ループ又は取手を、有している。その長手方向に沿って、糸状のものは、フランジのようなものを形成し、及び／又は、切ることでそこから引き離すことができるように、弱められているライン又は刻み目の入れられているラインを介して、容器本体に接続することができる。消費者が、例えば、飲み物又は食べ物を、満たし、且つ、適切な蓋で閉めた、容器本体を運ぼうとするとき、彼／彼女は、ループ又は取手を、握り、弱められているラインを引き裂き、糸状のものを伸ばすことができる。
【０００６】
（従来技術より有効な効果）
好ましい実施例において、キャリア部材は、使用前の状態において、容器本体の外面から外向きに伸びている、フランジ又はフラップを、形成するものでも良い。そして、その後、このフランジ又はフラップに、弱められているライン及び／又はカットラインを、与えることとしても良い。該ラインは、フランジ又はフラップが、弱められているライン又は刻み目の入れられているラインに沿って引き裂かれるように、引き伸ばされ、又は、伸ばされるときに、実用的なキャリア部材を形成するためのものである。
【０００７】
原則、容器本体は、金属等の任意の適切な材料でできているものである。ある実施例において、容器本体は、例えば、射出成形又はブロー成形によって、プラスティック材料でできているものである。例えば、容器は、食べ物又は飲み物用の、一度だけ使用する使い捨てタイプのものでも良い。つまり、容器本体は、キャップ又はスクリュウキャップ等、の蓋によって閉じられているボトルであっても良い。他の実施例において、容器本体は、金属製であり、引き抜き糸を備えている従来の開口配置を備えている上部を、有している缶を含むものでも良い。
【０００８】
キャリア部材は、好ましくは、その自由端で、握り部材又はファスナー部材を、有しており。例えば、キャリア部材は、ループ形状部を含んでいる。つまり、キャリア部材は、単一のループによって定めることができるものである。しかし、より好ましくは、キャリア部材は、使用状態において、キャリア部材をより伸張された状態のものにする、２又は３以上の内部接続ループ形状リンクを含んでいる、鎖状の部材である。使用前の状態において、キャリア部材が、環状のフランジを形成するとき、ループ形状部は、フランジの周囲に、そして、弱められているライン又はカットラインによって、定められている。該ラインは、上記周囲に実質同心のサークルの円弧を定めているものである。
【０００９】
好ましい実施例において、キャリア部材は、環状のフランジの周囲に、そして、弱められているライン又はカットラインによって、定められている。該ラインは、２又は３以上の放射状に間隔を開けて設けられている、サークルの円弧を、定めているものである。キャリア部材が、弱められているライン又は刻み目の入れられているラインにそって、フランジを引き裂くことによって、使用状態に伸ばされたとき、伸張された鎖状の部材が形成される。
【００１０】
代わりに、キャリア部材は、フラップ又は耳を、形成し、そして、また、この場合において、弱められているライン又はカットラインは、キャリア部材が使用状態へと伸びたときに、鎖状のキャリア部材が形成されるようになっている、ものでも良い。例えば、弱められているライン又はカットラインを用いることによって、フラップ又は耳は、Ｕ字状ループ部と、接続部とに分離することができる。Ｕ字状ループ部は、一対の枝状部と、横向きの底部とを含んでいる。接続部は、横向きの底部を容器本体に接続するように、Ｕ字状ループ部の枝状部の間に設けられている。
【００１１】
上述するように、本発明による容器本体は、深絞り、射出成形、又は、ブロー成形等の任意の従来方法によるものでよい。成形の場合、弱められている又は刻み目の入れられているライン、又は、カットラインは、例えば、内側成形面上の相補形状の隆起による、成形処理によって、有利に、形成される。代わりに、弱められているライン又はカットラインは、切断又は打ち抜き工程等の、独自の作業によって、形成することができる。
【００１２】
容器本体を備えているキャリア部材を成形する代わりに、キャリア部材は、本体が用意された後に、本体にキャリア部材を固定するように取り付けることによって、容器本体に一体形成することもできる。キャリア部材は、接着剤、及び／又は、ねじを用いて、本体に固定取り付けするものでも良い。キャリア部材は、プラスティック、金属、ボール紙、又は、複合材料製のものでも良い。
【００１３】
示され、且つ、記載された、種々の形状のキャリア部材は、当然のことであるが、また、容器本体から再び分解することができるような、方法によって、容器本体に取り付けることができる。
【００１４】
第２の観点において、本発明は、上部と、キャリア部材と、を有している容器本体に関するものである。上記上部は、容器開口を定めている。上記キャリア部材は、容器本体の外面の上記上部と一体形成されており、且つ、使用前の状態から、使用状態にまで、伸ばすことができるものである。
【００１５】
キャリア部材は、好ましくは、弱められているライン又はカットラインによって、少なくとも部分的に定められているものであり、これによって、キャリア部材は、使用前の状態から、使用状態にまで、伸ばすことができるようになっているものである。
【００１６】
第２の観点による、キャリア部材は、請求項２乃至請求項１７の何れかによる任意のキャリア部材の要素を含んでいるものである。
【００１７】
第３の観点において、本発明は、容器本体の上部に一体形成されているキャリア部材に関するものである。キャリア部材は、請求項１乃至請求項１７の何れかによる任意のキャリア部材の要素を含んでいるものである。
【００１８】
本発明は、図面を参照しつつ、より詳細に説明される。図１乃至図３を参照すると、容器の基本形状１は、該容器の上部３に一体形成されているキャリア部材２を、有している状態で示されている。上記上部３は、容器開口４を定めている。基本形状１は、例えば、図７、図８に示されているような容器へと、ブロー成形される。
【発明を実施するための最良の形態】
【００１９】
使用前の状態において、キャリア部材２は、フランジの周囲に、そして、弱められているライン又はカットライン５によって、定められている。該ライン５は、２つの放射状に間隔を開けて設けられている、サークル６の同心円弧を、定めているものである。ライン５は、キャリア部材２が図１の使用前の状態から、図２の使用状態になるときに、引き裂かれる。使用状態において、キャリア部材２は、容器を、ベルトに通して運べるようにする。
【００２０】
図４は、フラップ又は耳が、形成されている、キャリア部材２を示している。弱められているライン又はカット５は、キャリア部材が使用状態へと伸びたときに、鎖状のキャリア部材が形成されるようになっている。フラップ又は耳は、ライン５を用いて、Ｕ字状ループ部６と、接続部９とに分離されている。Ｕ字状ループ部６は、一対の枝状部７と、横向きの底部８とを含んでいる。接続部９は、横向きの底部８を容器本体１に接続するように、Ｕ字状ループ部の枝状部の間に設けられている。
【００２１】
図５、図６は、上述した本発明による容器を示している。図１、図２に示されていた基本形状１は、ここでは、容器／ボトル１へとブロー成形されている。キャリア部材２は、開口４を定めているボトルの上部３に一体形成されている。図５は、使用状態のキャリア部材２を示しており、図６は、弱められているライン５が引き裂かれていない、使用前の状態のキャリア部材２を示している。
【００２２】
図７、図８は、図５、図６のボトルを側方から示しているものである。キャリア部材２は、それぞれ、使用前の状態と、使用状態とのものである。
【００２３】
図９、図１０は、本発明による、キャリア部材２を装着した状態の缶１を示している。キャリア部材２は、使用前の状態と、使用状態とのものが示されている。キャリア部材２は、開口（図示せず）、好ましくは、缶の従来の開口配置を定めている、缶の上部の上端に装着されている。キャリア部材２は、成形によって缶に装着することができ、又は、接着剤又はクリック止めを利用することによって、上部に取り付けることができる。示されているように、キャリア部材２は、上部に設けられており、且つ、上端に囲まれている。
【００２４】
使用前の状態において、キャリア部材２は、フランジの周囲に、そして、弱められているライン又はカットライン５によって、定められている。ライン５は、キャリア部材が図９の使用前の状態から、図１０の使用状態になるときに、引き裂かれる。使用状態において、キャリア部材２は、缶を、例えば、ベルトに通して運べるようにするものである。
【図面の簡単な説明】
【００２５】
【図１】使用前の状態のキャリア部材を有している、本発明による容器の基本形状を示している。
【図２】使用状態のキャリア部材を有している、本発明による容器の基本形状を示している。
【図３】図１の容器を上から見た図である。
【図４】本発明によるキャリア部材の実施例を示している。
【図５】キャリア部材が使用状態にあるときの、本発明によるボトルを示している。
【図６】キャリア部材が使用前の状態にあるときの、本発明によるボトルを示している。
【図７】使用前の状態にあるキャリア部材を備えている、本発明によるボトルを示している。
【図８】使用状態にあるキャリア部材を備えている、本発明によるボトルを示している。
【図９】使用前の状態にあるキャリア部材を備えている、本発明による缶を示している。
【図１０】使用状態にあるキャリア部材を備えている、本発明による缶を示している。
【図１】
2008503402.tif 000003
【図２】
2008503402.tif 000004
【図３】
2008503402.tif 000005
【図４】
2008503402.tif 000006
【図５】
2008503402.tif 000007
【図６】
2008503402.tif 000008
【図７】
2008503402.tif 000009
【図８】
2008503402.tif 000010
【図９】
2008503402.tif 000011
【図１０】
2008503402.tif 000012
【国際調査報告】
2008503402.tif 000013
2008503402.tif 000014